【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
光合成生物の光合成速度を高めるための方法であって、
少なくとも１つの光子放出器を設けることと、
前記少なくとも１つの光子放出器と通信可能な少なくとも１つの光子放出変調制御器を設けることと、
前記少なくとも１つの光子放出変調制御器からのコマンドを前記少なくとも１つの光子放出器に伝えることと、
前記生物に前記少なくとも１つの光子放出器からの光子信号を供給することであって、前記光子信号は、２つ以上の独立成分を含み、前記独立成分のそれぞれは、
１つ以上の強度を有する１つ以上の光子パルスＯＮ期間と、１つ以上の光子パルスＯＦＦ期間と、波長色と、を有する反復変調光子パルス群を含み、
各独立成分の前記光子パルスの前記１つ以上のＯＮ期間は、０．０１マイクロ秒〜５分の間であり、かつ各独立成分の前記光子パルスの前記１つ以上のＯＦＦ期間は、０．１マイクロ秒〜２４時間の間の間であり、
前記２つ以上の独立成分のそれぞれは、前記信号内で同時に生成され、
各変調光子パルス群のそれぞれの前記ＯＮ期間、ＯＦＦ期間、強度及び波長色は、異なる、前記光子信号を供給することと、
前記光合成生物に向けて前記信号を放出することであって、前記２つ以上の光子パルス群の複合効果によって、前記光合成生物の前記光合成速度を、１００％一定の光子放出に曝された時の前記生物の前記光合成速度に対して変調させる、前記放出することと、
を含む、方法。
【請求項２】
前記生物の前記光合成速度は、前記信号が前記生物に向けて放出される期間の減少に基づいて変調される、請求項１に記載の方法。
【請求項３】
前記生物の前記光合成速度は、前記独立成分の前記光子パルス群のうちの１つ以上の前記ＯＮ期間の減少に基づいて変調される、請求項１に記載の方法。
【請求項４】
前記生物の前記光合成速度は、前記独立成分の前記光子パルス群のうちの少なくとも１つの前記ＯＦＦ期間の増加に基づいて変調される、請求項１に記載の方法。
【請求項５】
前記２つ以上の光子パルス群の前記複合効果が、前記光合成生物の前記光合成速度を、１００％一定の光子放出に曝された時の前記生物の前記光合成速度に対して増加させる、請求項１に記載の方法。
【請求項６】
前記２つ以上の光子パルス群の前記複合効果が、前記光合成生物の前記光合成速度を、１００％一定の光子放出に曝された時の前記生物の前記光合成速度に対して減少させる、請求項１に記載の方法。
【請求項７】
前記独立成分のそれぞれの前記光子パルス群の前記ＯＮ期間とＯＦＦ期間とのパターンが変化する、請求項１に記載の方法。
【請求項８】
前記光合成生物は、１００％一定の光子放出に曝された時の前記生物の植物光合成速度と比べて５％〜９５％の間デューティサイクルで少なくとも１つの光子パルス群を有する信号に曝された場合、変調された光合成速度を有する、請求項１に記載の方法。
【請求項９】
前記光合成生物は、１００％一定の光子放出に曝された時の前記生物の植物光合成速度と比べて０．０１％〜１０．００％の間デューティサイクルで少なくとも１つの光子パルス群を有する信号に曝された場合、変調された光合成速度を有する、請求項１に記載の方法。
【請求項１０】
前記光合成生物は、１００％一定の光子放出に曝された時の前記生物の植物光合成速度と比べて１０．０１％〜２０．００％の間デューティサイクルで少なくとも１つの光子パルス群を有する信号に曝された場合、変調された光合成速度を有する、請求項１に記載の方法。
【請求項１１】
前記光合成生物は、１００％一定の光子放出に曝された時の前記生物の植物光合成速度と比べて２０．０１％〜３０．００％の間デューティサイクルで少なくとも１つの光子パルス群を有する信号に曝された場合、変調された光合成速度を有する、請求項１に記載の方法。
【請求項１２】
前記光合成生物は、１００％一定の光子放出に曝された時の前記生物の植物光合成速度と比べて３０．０１％〜４０．００％の間デューティサイクルで少なくとも１つの光子パルス群を有する信号に曝された場合、変調された光合成速度を有する、請求項１に記載の方法。
【請求項１３】
前記光合成生物に関わる少なくとも１つの条件を監視する少なくとも１つのセンサを設けることであって、前記光合成生物に関わる前記少なくとも１つの条件は、前記生物に関わる環境条件または前記生物に関わる生理的条件である、前記少なくとも１つのセンサを設けることをさらに含み、
前記少なくとも１つのセンサは、第１の通信装置に動作可能に接続され、前記第１の通信装置は、前記少なくとも１つのセンサから、前記光子放出器と通信可能なマスターロジック制御器にデータを送信する、請求項１に記載の方法。
【請求項１４】
前記マスターロジック制御器は、前記光子パルス群のうちの少なくとも１つの少なくとも１つの態様を調整し、前記少なくとも１つの態様は、前記少なくとも１つのセンサからの前記データに基づいて、前記光子信号内の光子パルス群の期間、強度、波長帯域及びデューティサイクルから選択される、請求項１３に記載の方法。
【請求項１５】
光合成生物の光合成速度を高めるためのシステムであって、
少なくとも１つの光子放出器と、
前記少なくとも１つの光子放出器と通信可能な少なくとも１つの光子放出変調制御器と、
前記生物への光子信号であって、前記光子信号は、２つ以上の独立成分を含み、前記独立成分のそれぞれは、
１つ以上の強度を有する１つ以上の光子パルスＯＮ期間と、１つ以上の光子パルスＯＦＦ期間と、波長色と、を有する反復変調光子パルス群を含み、
各独立成分の前記光子パルスの前記１つ以上のＯＮ期間は、０．０１マイクロ秒〜５分の間であり、かつ各独立成分の前記光子パルスの前記１つ以上のＯＦＦ期間は、０．１マイクロ秒〜２４時間の間の間であり、
前記２つ以上の独立成分のそれぞれは、前記信号内で同時に生成され、
各変調光子パルス群のそれぞれの前記ＯＮ期間、ＯＦＦ期間、強度及び波長色は、異なる、前記光子信号と、
前記光合成生物に向けて前記信号を放出することであって、前記２つ以上の光子パルス群の複合効果が、前記光合成生物の前記光合成速度を、１００％一定の光子放出に曝された時の前記生物の前記光合成速度に対して変調する、前記信号を前記放出することと、
を含む、光合成生物の光合成速度を高めるための、システム。
【請求項１６】
前記生物の前記光合成速度は、前記信号が前記生物に向けて放出される期間の減少に基づいて変調される、請求項１５に記載のシステム。
【請求項１７】
前記生物の前記光合成速度は、前記独立成分の前記光子パルス群のうちの１つ以上の前記ＯＮ期間の減少に基づいて変調される、請求項１５に記載のシステム。
【請求項１８】
前記生物の前記光合成速度は、前記独立成分の前記光子パルス群のうちの少なくとも１つの前記ＯＦＦ期間の増加に基づいて変調される、請求項１５に記載のシステム。
【請求項１９】
前記２つ以上の光子パルス群の前記複合効果が、前記光合成生物の前記光合成速度を、１００％一定の光子放出に曝された時の前記生物の前記光合成速度に対して増加させる、請求項１５に記載のシステム。
【請求項２０】
前記２つ以上の光子パルス群の前記複合効果が、前記光合成生物の前記光合成速度を、１００％一定の光子放出に曝された時の前記生物の前記光合成速度に対して減少させる、請求項１５に記載のシステム。
【請求項２１】
前記独立成分のそれぞれの前記光子パルス群の前記ＯＮ期間とＯＦＦ期間とのパターンが変化する、請求項１５に記載のシステム。
【請求項２２】
前記光合成生物は、１００％一定の光子放出に曝された時の前記生物の植物光合成速度と比べて５％〜９５％の間デューティサイクルで少なくとも１つの光子パルス群を有する信号に曝された場合、変調された光合成速度を有する、請求項１５に記載のシステム。
【請求項２３】
前記光合成生物は、１００％一定の光子放出に曝された時の前記生物の植物光合成速度と比べて０．０１％〜１０．００％の間デューティサイクルで少なくとも１つの光子パルス群を有する信号に曝された場合、変調された光合成速度を有する、請求項１５に記載のシステム。
【請求項２４】
前記光合成生物は、１００％一定の光子放出に曝された時の前記生物の植物光合成速度と比べて１０．０１％〜２０．００％の間デューティサイクルで少なくとも１つの光子パルス群を有する信号に曝された場合、変調された光合成速度を有する、請求項１５に記載のシステム。
【請求項２５】
前記光合成生物は、１００％一定の光子放出に曝された時の前記生物の植物光合成速度と比べて２０．０１％〜３０．００％の間デューティサイクルで少なくとも１つの光子パルス群を有する信号に曝された場合、変調された光合成速度を有する、請求項１５に記載のシステム。
【請求項２６】
前記光合成生物は、１００％一定の光子放出に曝された時の前記生物の植物光合成速度と比べて３０．０１％〜４０．００％の間デューティサイクルで少なくとも１つの光子パルス群を有する信号に曝された場合、変調された光合成速度を有する、請求項１５に記載のシステム。
【請求項２７】
マスターロジック制御器であって、前記マスターロジック制御器は、前記少なくとも１つの光子放出器と通信可能である、前記マスターロジック制御器
をさらに備える、請求項１５に記載のシステム。
【請求項２８】
前記光合成生物に関わる少なくとも１つの条件を監視する少なくとも１つのセンサであって、前記光合成生物に関わる前記少なくとも１つの条件は、前記生物に関わる環境条件または前記生物に関わる生理的条件である、前記少なくとも１つのセンサをさらに備え、
前記少なくとも１つのセンサは、第１の通信装置に動作可能に接続され、前記第１の通信装置は、前記少なくとも１つのセンサから、前記光子放出器と通信可能なマスターロジック制御器にデータを送信する、請求項２７に記載のシステム。
【請求項２９】
前記マスターロジック制御器は、前記光子パルス群のうちの少なくとも１つの少なくとも１つの態様を調整し、前記少なくとも１つの態様は、前記少なくとも１つのセンサからの前記データに基づいて、前記光子信号内の光子パルス群の期間、強度、波長帯域、及びデューティサイクルから選択される、請求項２８に記載のシステム。